(57)【要約】【課題】  洗顔等を行う際に、手に付着した水や洗顔液等が、腕や服の袖や装身具を濡らすことがある。【解決手段】  本発明の濡れ防止具の一は、腕や手首に着脱可能であるシート状の本体の上に吸液材を設け、本体を吸液材製としたものである。本発明の濡れ防止具の他の一は、腕や手首に着脱可能である本体が袋状であり、本体は装着時に手側に開口する開口部を備え、本体内に開口部から浸入する液体を吸収する吸液材を収容し、本体の裏面又は全面を非吸液材製としたものである。また、前記濡れ防止具において、本体を非吸液性とすることができる。前記濡れ防止具において、本体の裏面を剥離紙を備えた接着面とすることもできる。【選択図】図１
2007167268.tif 000002
【特許請求の範囲】
【請求項１】
腕や手首に着脱可能であるシート状の本体の上に吸液材が設けられ、本体が非吸液材製であることを特徴とする濡れ防止具。
【請求項２】
腕や手首に着脱可能である本体が袋状であり、本体は装着時に手側に開口する開口部を備え、本体内に開口部から浸入する液体を吸収する吸液材が収容され、本体の裏面又は全面が非吸液材製であることを特徴とする濡れ防止具。
【請求項３】
請求項１又は請求項２記載の濡れ防止具において、本体が非吸液性であることを特徴とする濡れ防止具。
【請求項４】
請求項１ないし請求項３のいずれかに記載の濡れ防止具において、本体の裏面が剥離紙を備えた接着面であることを特徴とする濡れ防止具。
【発明の詳細な説明】
【技術分野】
【０００１】
本発明は腕や手首に装着して、洗顔時に腕や手首を伝って肘側に流れる水や洗顔液等で、腕、着用している洋服の袖口や袖、腕に装着している腕時計やブレスレットといった装身具等が濡れるのを防止する濡れ防止具に関するものである。
【背景技術】
【０００２】
家庭や職場で洗顔、品物の洗浄、水仕事等を行う機会は多くある。これらのうち、特に、手で水や洗顔液をすくって洗顔する場合は、水や洗顔液が腕を伝って肘側に流れて、腕、洋服の袖、腕に装着している腕時計やブレスレット等が濡れることがよくある。和服の場合は袖口が広いため腕を伝って袖の中まで水が入り込んで腕が肘まで濡れるとか、和服の袖が濡れるといったことがある。
【発明の開示】
【発明が解決しようとする課題】
【０００３】
前記のように腕、袖等が濡れると不快である。濡れた腕はタオルやハンカチで拭けばよいが、袖が濡れると拭いても直ぐには乾燥しないため、その後も暫く不快感が残る。洗顔液が化学薬品の場合は濡れた袖が染みになることもある。洋服や和服の濡れを防止するため、従来は、洋服の場合は洗顔前に袖を捲り上げ、和服の場合は襷掛けして袖を引き上げたりし、装身具は腕から取り外したりしている。しかし、そのようにしても腕の濡れを防止することはできず、不快感を完全に払拭することはできない。装身具を腕から取り外すと装身具をそのまま忘れることもある。
【課題を解決するための手段】
【０００４】
本発明の濡れ防止具は、腕や袖や装身具等を濡らさずに、洗顔や水作業を行うことができるようにしたものである。
【０００５】
本発明の濡れ防止具は、請求項１記載のように、腕や手首に着脱可能であるシート状の本体の上に吸液材を設け、本体を吸液材製としたものである。
【０００６】
本発明の濡れ防止具は、請求項２記載のように、腕や手首に着脱可能である本体が袋状であり、本体は装着時に手側に開口する開口部を備え、本体内に開口部から浸入する液体を吸収する吸液材を収容し、本体の裏面又は全面を非吸液材製としたものである。
【０００７】
本発明の濡れ防止具は、請求項３記載のように、前記濡れ防止具において、本体を非吸液性としたものである。
【０００８】
本発明の濡れ防止具は、請求項４記載のように、前記濡れ防止具において、本体の裏面を剥離紙を備えた接着面としたものである。
【発明の効果】
【０００９】
本件出願の請求項１記載の濡れ防止具は、シート状の本体の上に吸液材があるため、次のような効果がある。
（１）シート状の本体を腕や手首の外面側に宛がって、本体裏面を粘着剤や接着剤で腕や手首に装着すれば、液体が手から肘側に垂れたとしても、液体が本体の上の吸液材に吸収されてそれ以上は肘側に垂れないため、腕、服の袖、装身具等が濡れない。特に手首に装着した場合、洗顔前に袖を捲り上げたり装身具を取り外したりする煩わしさもない。
（２）本体がシート状で薄いため、肘側へ流れる液体が本体の上の吸液材に確実に吸収され、腕や袖が濡れにくくなる。
【００１０】
本件出願の請求項２記載の濡れ防止具は、本体が袋状であり、本体に、腕への装着時に手側に開口する開口部を備え、本体内に開口部から浸入する液体を吸収する吸液材が収容されているため、次のような効果がある。
（１）袋状の本体を腕や手首の外面側に宛がって、本体裏面を粘着剤や接着剤で腕や手首に装着すれば、液体が手から肘側に流れたとしても、液体が本体の開口部から本体内に流れ込むため、腕、服の袖、装身具等が濡れない。また、本体内に流れ込んだ液体が吸液材に吸収されるため、本体内に流れ込んだ液体が開口部から逆流して腕や袖が濡れることもない。このため、特に手首に装着した場合、洗顔前に袖を捲り上げたり装身具を取り外したりする煩わしさもない。
（２）本体が袋状であるため、液体を吸収した本体内の吸液材に袖が接触して濡れることもない。
【００１１】
本件出願の請求項３記載の濡れ防止具は、シート状或は袋状の本体が非吸液性であるため、吸液材に吸収された液体が本体の外側に染み出て腕や袖を濡らすことがない。
【００１２】
本件出願の請求項４記載の濡れ防止具は、次のような効果がある。
（１）本体裏面を剥離紙が貼り付けられた接着面としてあるため、剥離紙を剥離するだけで本体を腕へ手軽に装着することができる。また、腕からの剥離も容易になり、使用済み後の腕からの取り外しも容易になる。
（２）装着用のテープなどの接着具を使用することなく腕や手首に取り付けることができるため、接着具のない場所ででも手軽に、確実に腕に装着することができる。
【００１３】
本件出願の請求項１〜請求項４記載の濡れ防止具は、本体を非吸液性の紙製、吸液材を紙製不織布等にしておけば、濡れ防止具が安価になるため、使い捨てにすることもできる。
【発明を実施するための最良の形態】
【００１４】
（実施形態１）
本発明の濡れ防止具の実施形態の一例を図１〜図４に基づいて説明する。これら図の実施形態は本体が袋状のものの場合である。本体２は半円形の袋状であり、腕に図３のように装着した時に手側に開口する開口部３が形成され、本体２内に開口部３から流れ込んだ液体を吸収する吸液材４が収容されている。
【００１５】
前記本体２は図１に示すように表側シート材５と裏側シート材６は共に半円形のシート材であり、その円弧状の周縁部８同士を重ね合わせて縫合して半円形の袋状とし、本体２の直線部分は縫合せずに開口部３とし、本体２の内部に吸液材４を収容可能な収容部７を形成してある。表側シート材５と裏側シート材６はいずれも両面又は片面に非吸液処理を施した紙製、布製、或は吸液性のない樹脂製シートといった非吸液材製として、本体２内に入り込んだ液体や吸液材４に吸収された液体が染み出ないようにしてある。
【００１６】
図２、図３に示すように裏側シート材６の裏面は接着剤等を付着させた接着面としてあり、その外側に剥離紙９が貼られており、剥離紙９を剥離すると前記接着剤で腕や手首にそのまま装着固定することができるようにしてある。この実施形態の本体２は図３に示すように、腕の甲側から外側までカバーできる横長（大きさ）としてある。
【００１７】
前記吸液材４は図１、図２に示すように、半円形の袋状の本体２の収容部７内に収容できるサイズの半円形である。この吸液材４は脱脂綿、不織布、紙、布、ウレタン等の吸液性を有する任意の材質製とすることができる。吸液材４は本体２内に固定しておくことも、収容部７内に入れておくだけとすることもできる。
【００１８】
本実施形態の濡れ防止具１を使用する場合は、例えば、本体２の裏面シート材６の裏面（接着面）の剥離紙９を剥離して、図３に示すように、洋服の袖を捲って、腕の甲側に巻きつけるように貼り付けて固定する。このとき本体２の開口部３が手側を向くように装着する。濡れ防止具１を腕に装着した状態で、図３に示すように洗顔すると、手の甲及び腕を伝って肘側に垂れた水は開口部３から本体２内部に入り込んで吸液材４に吸収される。
【００１９】
本実施形態の濡れ防止具１は、図４に示すように手首の甲側に巻きつけるように貼り付けて固定することもできる。この場合も、本体２の開口部３が手側を向くように装着する。このとき、濡れ防止具１は、同図に示すように服の袖口１０の上からでも貼り付けることができるが、その場合は本体２の開口部３側を服の袖口１０よりも手側に突出させて、裏面シート６の開口部裏面を手首付近に密着固定し、本体２の裾１１側で服の袖口１０を覆って、洗顔しても服の袖口１０に液体が入り込まないようにする。このとき、手の甲を伝って肘側に垂れた水は開口部３から本体２内部に入り込んで吸液材４に吸収される。もっとも、洋服の袖を捲って、濡れ防止具１を手首の甲側に直接貼り付けることも可能である。
【００２０】
本発明の濡れ防止具１は図１に示すように表側シート材５、裏側シート材６の円弧部分の周縁部８を重合して袋状とする構造に限らず、一枚のシートを折り返して二重にし、その外周縁部を縫合する等して袋状の本体とすることもできる。又、縫合ではなく、熱融着とか接着剤による接着等で袋構造とすることもできる。また、本体２の表側シート材５は必ずしも非吸液材製ではなくともよい。
【００２１】
（実施形態２）
本発明の濡れ防止具１の実施形態の他の例を図５に基づいて説明する。この濡れ防止具１は、本体２が一枚のシート状であり、その本体２の表面（上面）に液体を吸収可能な吸液材４を重ねてある。吸液材４は接着材とか両面テープ等で本体２の表面に接着固定しておくと使い易いが、脱着自在としておくこともできる。
【００２２】
図５の本体２も半円形であるが、本体２は幅の広い帯状とか他の形状とすることもできるが、少なくとも腕や手首の甲側を覆うことができる広さや形状とするのが望ましい。本体２の材質は図１の本体の裏面側シート６の材質と同じ非吸液材としてある。また、図５の本体２の裏面２０を接着面とし、その面に剥離紙９が貼り付けられ、この剥離紙９を剥離することにより、接着面を腕や手首に貼り付けて固定することができるようにしてある。
【００２３】
図５の吸液材４も半円形のシート状の本体２の表面上に配置できる形状、サイズであり、脱脂綿、紙、不織布、布、ウレタン等の任意の吸液材を用いることができる。
【００２４】
図５の濡れ防止具１を使用する場合も、図1の濡れ防止具と同様に、本体２の裏面２０の剥離紙を剥離して接着面を腕の甲側に貼り付けて固定する（図３参照）。その場合も、本体２の裾１１が手側を向くように装着し、洗顔したときに手の甲及び腕を伝って肘側に垂れた水が吸液材４に吸収されるようにする。
【００２５】
また、図５の濡れ防止具１も、手首の甲側に巻きつけるように貼り付けて固定することもできる（図４参照）。この場合も、本体２の直線部分を袖口より手側に突出させて肌に密着して張り付け、本体２の裾１１で服の袖口１０を覆ってそれに接着させて、洗顔時に液体が腕を伝って袖口に入り込まないようにする。
【００２６】
（その他の実施形態）
本体２の形状は、実施形態１記載の袋状、実施形態２記載のシート状のいずれの場合も、図に示す半円形状には限られず、円形状、多角形状等、任意の形状とすることができる。また、本体２の大きさ（サイズ）も、図に示す手首の甲側のみを覆う大きさには限られず、例えば、手首の外周全周を覆うことのできる大きさにする等、任意の大きさとすることもできる。その材質も非吸性であれば任意の材質とすることができ、例えば、紙製シートの表裏両面或は表裏面のいずれか一面に防水処理したものとか、袋状の本体２の表面側シート材５と裏面側シート材６の双方又はいずれか一方の表裏両面或は表裏面のいずれか一面にのみ防水処理したもの等を使用することができる。
【００２７】
濡れ防止具１の装着方法は、実施形態１、２のように接着面を腕や袖口に貼り付ける方法に限らず、別途用意した輪ゴム、テープ、その他の装着具を用いて腕や袖口に装着したり、輪ゴム等によって装着したり、他の任意の方法で装着することができる。
【００２８】
濡れ防止具１の取り付け位置は腕や手首に限られず、上腕など、任意の場所に取り付けることもできる。
【産業上の利用可能性】
【００２９】
本発明の濡れ防止具は、洗顔や手洗いなどの日常生活における濡れ防止に限らず、農作業、清掃作業、工場内での作業といった、手が液体に触れる各種作業や場面においての濡れ防止に使用することができる。
【図面の簡単な説明】
【００３０】
【図１】本発明の濡れ防止具の実施形態の一例を示す斜視図。
【図２】図１に示す濡れ防止具の開口部を示す端面図。
【図３】図１に示す濡れ防止具を使用する様子を示す斜視図。
【図４】図１に示す濡れ防止具を手首に取り付けた様子を示す斜視図。
【図５】本発明の濡れ防止具の実施形態の他の一例を示す斜視図。
【符号の説明】
【００３１】
１  濡れ防止具
２  本体
３  開口部
４  吸液材
５  表側シート材
６  裏側シート材
７  収容部
８  周縁部
９  剥離紙
２０  裏面
【図１】
2007167268.tif 000003
【図２】
2007167268.tif 000004
【図３】
2007167268.tif 000005
【図４】
2007167268.tif 000006
【図５】
2007167268.tif 000007